(57)【要約】【課題】安定した遊技球の打撃位置を確保することができる弾球遊技機を提供すること。【解決手段】遊技盤１１１上に形成された遊技領域１１０中に遊技球を発射する球発射装置本体１６０と、球発射装置本体１６０の近傍に配設され、遊技球を遊技領域１１０へと導くためのカタパルトレール２２１と、カタパルトレール２２１の長手方向中央位置に遊技球を保持する球保持部１４９とを備え、該位置に保持された遊技球を球発射装置本体１６０にて打撃することにより、遊技球を遊技領域１１０へ発射する。【選択図】      図４
2004222830.tif 000002
【特許請求の範囲】
【請求項１】
遊技盤上に形成された遊技領域中に遊技球を発射する球発射装置本体と、
前記球発射装置本体の近傍に配設され、遊技球を遊技領域へと導くためのカタパルトレールと、
前記カタパルトレールの長手方向中央位置に遊技球を保持する球保持部とを備えることを特徴とする弾球遊技機。
【請求項２】
球発射装置は、前記球発射装置本体と、前記球発射装置本体を支持する支持部材とから構成され、
前記支持部材に前記カタパルトレールが形成されていることを特徴とする請求項１に記載の弾球遊技機。
【請求項３】
遊技盤上に形成された遊技領域中に遊技球を発射する球発射装置と、
前記球発射装置の近傍に配設され、遊技球を遊技領域へと導くためのカタパルトレールと、
前記カタパルトレールの球発射装置側端部から、遊技球１個分以上離間した位置に遊技球を保持する球保持部とを備えることを特徴とする弾球遊技機。
【発明の詳細な説明】
【０００１】
【発明の属する技術分野】
本発明は、弾球遊技機に関し、詳しくは、遊技盤上に形成された遊技領域中に遊技球を発射するようになされた弾球遊技機に関する。
【０００２】
【従来の技術】
従来、パチンコ遊技機、アレンジボールなどの弾球遊技機にあっては、遊技盤上に形成された遊技領域中に遊技球を発射する球発射装置を備えたものが普及しており、この球発射装置の一例として、磁気回路を構成するソレノイドと、ソレノイドに対して移動可能に支持されたロッドとを有し、ロッドを往復直動させ、ロッドによって遊技球を打撃することにより遊技球を発射する、所謂、直動ソレノイド方式の球発射装置が知られている（例えば、特許文献１参照）。
【０００３】
【特許文献１】
特開２００２−１７９８１号公報（第４頁、第２図）
【０００４】
【発明が解決しようとする課題】
上記従来の弾球遊技機においては、発射台の端部近傍にて遊技球を保持する球止め庇を有し、該保持された遊技球を打撃することにより、遊技球を発射するようになっている。本発明は、上記従来の弾球遊技機にさらなる改良を加えることにより、安定した打撃位置の確保を可能とした弾球遊技機を提供することを目的とする。
【０００５】
【課題を解決するための手段】
上記課題を解決するため、本発明に係る弾球遊技機は、遊技盤上に形成された遊技領域中に遊技球を発射する球発射装置本体と、前記球発射装置本体の近傍に配設され、遊技球を遊技領域へと導くためのカタパルトレールと、前記カタパルトレールの長手方向中央位置に遊技球を保持する球保持部とを備えることを特徴としている。
【０００６】
この構成により、本発明に係る弾球遊技機は、通常計時変化等により撓んだり歪んだりするといった形状変化が顕著にあらわれる端部近傍でなく、カタパルトレールの長手方向中央位置にて遊技球を保持することができるので、計時変化等によっても打撃位置のずれ等がなく、安定した遊技球の打撃位置を確保することができる。
【０００７】
また、本発明に係る弾球遊技機は、球発射装置は、前記球発射装置本体と、前記球発射装置本体を支持する支持部材とから構成され、前記支持部材に前記カタパルトレールが形成されていることを特徴としている。
【０００８】
この構成により、本発明に係る弾球遊技機は、球発射装置本体と、カタパルトレールが同一の支持部材に形成されるため、より安定した遊技球の打撃位置を確保することができる。
【０００９】
また、本発明に係る弾球遊技機は、遊技盤上に形成された遊技領域中に遊技球を発射する球発射装置と、前記球発射装置の近傍に配設され、遊技球を遊技領域へと導くためのカタパルトレールと、前記カタパルトレールの球発射装置側端部から、遊技球１個分以上離間した位置に遊技球を保持する球保持部とを備えることを特徴としている。
【００１０】
この構成により、本発明に係る弾球遊技機は、通常計時変化等により撓んだり歪んだりするといった形状変化が顕著にあらわれる端部近傍でなく、カタパルトレールの球発射装置側端部から、遊技球１個分以上離間した位置にて遊技球を保持することができるので、計時変化等によっても打撃位置のずれ等がなく、安定した遊技球の打撃位置を確保することができる。
【００１１】
【発明の実施の形態】
以下、本発明の好ましい実施形態を図面に基づいて説明する。
【００１２】
図１〜７は、本発明に係る弾球遊技機の一実施形態を示す図である。なお、本実施形態では、本発明に係る弾球遊技機をパチンコ遊技機に適用しているが、パチンコ遊技機の他にもアレンジボールなどのように、遊技球を発射する装置を備えた弾球遊技機に適用することができる。
【００１３】
まず、本発明に係る弾球遊技機の構成を説明する。
【００１４】
本発明に係る弾球遊技機としてのパチンコ遊技機１００は、図１に示すように、複数の板材１０１ａ、１０１ｂ、１０１ｃ、１０１ｄによって構成された枠体１０１と、一対のヒンジ１０２を介して枠体１０１に取り付けられた本体１０３とを備えている。なお、本実施形態では、パチンコ遊技機１００の各方向について、板材１０１ａ側を上方、板材１０１ｂ側を下方、板材１０１ｃ側を左方、板材１０１ｄ側を右方として説明する。
【００１５】
本体１０３の上部には、ガラス窓１０４を有する前面扉１０５が開閉自在に取り付けられており、前面扉１０５には、遊技状態に応じて音声を出力する左右のスピーカ１０６、１０７、遊技状態に応じて点灯する上下のランプ１０８、１０９が設けられている。
【００１６】
前面扉１０５の内側には、図２に示すように、遊技球（パチンコ球）を用いた所定の遊技が行われる略円形の遊技領域１１０が形成された遊技盤１１１が配置されている。遊技盤１１１には、遊技球を誘導する誘導レール１２８、１２９が設けられており、誘導レール１２８、１２９の間には、誘導通路１２７が形成されている。遊技領域１１０は、ガラス窓１０４に覆われており、パチンコ遊技機１００の外部から視認可能になっている。
【００１７】
一方、本体１０３の下部には、貸し球または賞球として払い出された遊技球を収容する上皿１１２、図示しない排出通路を介して上皿１１２から排出された遊技球を収容する下皿１１３、遊技者によって回動操作されるハンドル１１４が設けられている。
【００１８】
上皿１１２の内側には、図３に示すように、遊技盤１１１に向けて遊技球を発射する球発射装置１１６を支持する支持部材としてのベースプレート１１５が遊技盤１１１に対して略平行に配置されている。ベースプレート１１５には、球発射装置１１６によって発射された遊技球を遊技領域１１０に誘導する誘導部材としての誘導レール１１８、１１９が延設されている。誘導レール１１８、１１９の間には、誘導通路１１７が形成されている。
【００１９】
また、上皿１１２の内側には、上皿１１２に収容された遊技球を球発射装置１１６に供給する図示しない供給装置が設けられている。供給装置によって供給された遊技球は、ハンドル１１４の回動量に応じて遊技盤１１１に発射されるようになっている。
【００２０】
このように構成されたパチンコ遊技機１００において、球発射装置１１６によって発射された遊技球は、誘導通路１１７および誘導通路１２７に沿って左上方に移動し、遊技領域１１０に打ち出されるようになっている。遊技領域１１０に打ち出された遊技球は、遊技釘、風車などに当接しながら遊技領域１１０を流下し、何れかの入賞口に入賞するか、または、回収口からアウト球として回収されるようになっている。一方、遊技領域１１０に打ち出されなかった遊技球は、誘導通路１２７に沿って下方に流下し、誘導通路１２７と誘導通路１１７との間に形成された戻り口１３７から戻り球として回収され、図示しない排出通路を介して下皿に排出されるようになっている。
【００２１】
球発射装置１１６は、図４に示すように、複数のネジ１３８によってベースプレート１１５に固定されたハウジング１４０と、球発射装置本体を構成しハウジング１４０に支持されたソレノイド組立体１６０とを有しており、後述するロッド１６７が左上方に向けて傾斜するように配置されている。なお、本実施形態では、球発射装置１１６の各方向について、ロッド１６７の左上方側を前方、ロッド１６７の右下方側を後方として説明する。
【００２２】
ハウジング１４０は、ベースプレート１１５に装着された第１ハウジング１４１と、第１ハウジング１４１に結合された第２ハウジング１４２とによって構成されており、ベースプレート１１５に対して略平行であるとともにロッド１６７の中心軸を通過する平面において２分割されている。第１ハウジング１４１と第２ハウジング１４２との間には、ソレノイド組立体１６０を収容する収容空間１４３が形成されている。
【００２３】
第１ハウジング１４１は、図５（ａ）に示すように、収容空間１４３の半分が形成された収容部１４４と、収容部１４４の前方に設けられた略円筒状の銃砲部１４５と、収容部１４４および銃砲部１４５の周縁に設けられた平板状のフランジ部１４６とを有しており、収容部１４４には、ソレノイド組立体１６０から熱を放出する通気孔１４７が形成されている。
【００２４】
銃砲部１４５には、ロッド１６７に対して共軸関係にある発射通路が形成されており、球発射装置１１６に供給された遊技球は、発射通路に導入され、後述するカタパルトレール２２１に移動可能に保持されるようになっている。
【００２５】
銃砲部１４５の上部には、遊技球を発射可能状態に保持する球保持部１４９が形成され、銃砲部１４５の下部には、カタパルトレール２２１が配置される略Ｖ字状のレール溝が形成されている。カタパルトレール２２１は、発射通路の一部を構成しており、発射通路に導入された遊技球を移動可能に保持するようになっている。
【００２６】
第２ハウジング１４２は、図５（ｂ）に示すように、収容空間１４３の半分が形成された収容部１５５と、収容部１５５の周縁に設けられた平板状のフランジ部１５６とを有しており、収容部１５５には、ソレノイド組立体１６０から熱を放出する通気孔１５７が形成されている。
【００２７】
ソレノイド組立体１６０は、図５（ｃ）に示すように、金属によって形成された円筒状のケーシング１６１と、ケーシング１６１に保持されたソレノイド１６２と、ソレノイド１６２の前後端に結合された前軸受板１６３および後軸受板１６４と、ソレノイド１６２と前軸受板１６３および後軸受板１６４との間に介装された前緩衝板１６５および後緩衝板１６６と、ソレノイド１６２に対して移動可能に支持されたロッド１６７と、ロッド１６７を後方に付勢するスプリング１６８とを有している。
【００２８】
球保持部１４９は図６に示すように、カタパルトレール２２１と対向する位置に設けられており、カタパルトレール２２１の長手方向の長さＬにおいてｌ１とｌ２が等距離となるような中央位置に配設されている。そして該位置にて遊技球２２２を発射可能状態に保持することとなる。球発射装置本体であるソレノイド組立体１６０は、上記位置に保持された遊技球２２２を打撃することにより、遊技球２２２を発射するようになっている。
【００２９】
また、他の形態の球保持部１４９としては図７に示すように、カタパルトレール２２１と誘導レール１１９とが一体形成され、該一体形成されたカタパルトレール２２１が球発射装置１１６内に延在している場合において、カタパルトレール２２１と対向する位置に設けられており、球発射装置１１６内に延在しているカタパルトレール２２１の球発射装置側端部からの距離ｌ２が、遊技球１個分以上離間した距離となるように配設されている。そして該位置にて遊技球２２２を発射可能状態に保持することとなる。ソレノイド組立体１６０は、上記位置に保持された遊技球２２２を打撃することにより、遊技球２２２を発射するようになっている。なお、図７においては、誘導レール１１９と一体形成されたカタパルトレール２２１が、球発射装置１１６内に延在するようになっているが、これに限られず、誘導レール１１９がそのまま球発射装置１１６内に延在するようなものであってもよい。
【００３０】
このように構成されたパチンコ遊技機１００において、球発射装置１１６は、ソレノイド１６２がロッド１６７のプランジャを吸引することにより、ロッド１６７を前進位置に移動させるようになっている。また、ソレノイド１６２がロッド１６７のプランジャを解放するとともにスプリング１６８がロッド１６７のプランジャを押圧することにより、ロッド１６７を後退位置に移動させるようになっている。そして、この動作を繰り返すことにより、ロッド１６７を前進位置および後退位置に往復直動させるようになっている。
【００３１】
以上説明したように、本実施形態では、カタパルトレール２２１の長手方向中央にて遊技球を保持、もしくはカタパルトレール２２１の球発射装置側端部から、遊技球１個分以上離間した位置にて遊技球を保持する球保持部１４９を備えているので、通常計時変化等により撓んだり歪んだりするといった形状変化が顕著にあらわれる端部近傍でなく、カタパルトレール２２１の長手方向中央、もしくはカタパルトレール２２１の球発射装置側端部から、遊技球１個分以上離間した位置にて遊技球を保持することができ、計時変化等によっても打撃位置のずれ等がなく、安定した遊技球の打撃位置を確保することができる。
【００３２】
なお、本実施形態では、球発射装置１１６が、ロッド１６７を直動させることにより遊技球を打撃するようになっているが、このような構成に限らず、ハンマー状の部材を回動させることにより遊技球を打撃するように構成してもよい。
【００３３】
【発明の効果】
以上説明したように、本発明によれば、安定した遊技球の打撃位置を確保することができる弾球遊技機を提供することができる。
【図面の簡単な説明】
【図１】本発明に係る弾球遊技機の一実施形態の斜視図である。
【図２】本発明に係る弾球遊技機の一実施形態の遊技盤の正面図である。
【図３】図１に示した弾球遊技機の球発射装置および誘導部材の斜視図である。
【図４】図３に示した球発射装置および誘導部材の正面図である。
【図５】図４に示した球発射装置の第１ハウジングを示す図であり、（ａ）は第１ハウジングの正面図、（ｂ）は第１ハウジングの背面図、（ｃ）はソレノイド組立体の左側面図のＡ−Ａ断面図である。
【図６】図４に示したカタパルトレールおよび球保持部を示す正面図である。
【図７】図４に示したカタパルトレールおよび球保持部を示す正面図である。
【符号の説明】
１００  パチンコ遊技機（弾球遊技機）
１１０  遊技領域
１１１  遊技盤
１１６  球発射装置
１４０  ハウジング（支持部材）
１４９  球保持部
１６０  ソレノイド組立体（球発射装置本体）
２２１  カタパルトレール
【図１】
2004222830.tif 000003
【図２】
2004222830.tif 000004
【図３】
2004222830.tif 000005
【図４】
2004222830.tif 000006
【図５】
2004222830.tif 000007
【図６】
2004222830.tif 000008
【図７】
2004222830.tif 000009